(57)【要約】【課題】治療優先度の高い傷病者を簡便に選別し得るトリアージタグの提供を目的とする。【解決手段】トリアージ区分表示部１５に、ＩＣチップ２１とアンテナ２２とを具備してなる切断識別用ＩＣタグ２０を配設し、前記アンテナ２２を、治療優先度の最も高いトリアージ区分を示すトリアージ標識片１６ｂの、先端側の境界に形成される特定の易切断線１８ｂを跨ぐように形成するとともに、前記ＩＣチップ２１を、特定の易切断線１８ｂよりも基端側に配置して、切断識別用ＩＣタグ２０が、特定の易切断線１８ｂが切断されていない第一の状態では通信可能距離が１ｍ以下となり、特定の易切断線１８ｂが切断された第二の状態では、特定の易切断線１８ｂでアンテナ２２が切断されることによって通信可能距離が１．５ｍ以上となるよう構成する。【選択図】図３
2015055996.tif 000002
【特許請求の範囲】
【請求項１】
タグ用紙に、所要情報を記入するタグ本体部と、トリアージ区分を示すトリアージ区分表示部とを形成してなるトリアージタグにおいて、
該トリアージ区分表示部は、模様及び／又は色彩が相違するトリアージ区分と同数のトリアージ標識片を備え、該トリアージ標識片を、タグ本体部の端部を基端として一方向に連続させて、さらに、トリアージ標識片同士の境界に形成された易切断線でトリアージ標識片を相互に切り離し可能として、トリアージ区分表示部の先端に位置するトリアージ標識片によって傷病者のトリアージ区分を示すよう構成されたものであり、
トリアージ区分表示部には、ＩＣチップとアンテナとを具備してなる切断識別用ＩＣタグが配設されており、
前記アンテナは、治療優先度の最も高いトリアージ区分を示すトリアージ標識片の、先端側の境界に形成される特定の易切断線を跨ぐように形成されており、
前記ＩＣチップは、前記特定の易切断線よりも基端側に配設されており、
前記切断識別用ＩＣタグは、前記特定の易切断線が切断されていない第一の状態では、通信可能距離が１ｍ以下であり、前記特定の易切断線が切断された第二の状態では、該特定の易切断線でアンテナが切断されることによって、通信可能距離が１．５ｍ以上となるよう構成されていることを特徴とするトリアージタグ。
【請求項２】
前記切断識別用ＩＣタグはＵＨＦ帯で無線通信するものであることを特徴とする請求項１に記載のトリアージタグ。
【請求項３】
前記切断識別用ＩＣタグは、前記第一の状態ではアンテナがループ形状をなしており、前記第二の状態では、アンテナが前記特定の易切断線で切断されて、前記特定の易切断線の基端側にダイポールアンテナを形成することを特徴とする請求項１又は請求項２に記載のトリアージタグ。
【請求項４】
前記切断識別用ＩＣタグのアンテナは、前記特定の易切断線の基端側に、ＩＣチップの配設部位を中心にＸ字状に延出するＸ字状パターンを備えるとともに、前記特定の易切断線の先端側に、前記Ｘ字状パターンの２つの端部を相互接続してループを形成するループ形成部とを備え、
前記第二の状態では、前記ループ形成部がＸ字状パターンから切り離されて、前記アンテナがＸ字状となることを特徴とする請求項１又は請求項２に記載のトリアージタグ。
【請求項５】
前記切断識別用ＩＣタグのアンテナは、治療優先度の最も高いトリアージ区分を示すトリアージ標識片の、基端側の境界に形成される他の易切断線を跨ぐように形成されており、
前記切断識別用ＩＣタグは、前記他の易切断線が切断された第三の状態では、該他の易切断線でアンテナが切断されることによって、通信可能距離が１０ｃｍ以下となることを特徴とする請求項１乃至請求項４のいずれか１項に記載のトリアージタグ。
【請求項６】
治療優先度の最も高いトリアージ区分を示すトリアージ標識片は、基端側から２番目に配設されており、
最も基端側に位置するトリアージ標識片は、死亡または救命の見込みのない状態のトリアージ区分を示すものであり、
前記切断識別用ＩＣタグは、前記第一の状態及び前記第二の状態では無線通信可能であることを特徴とする請求項１乃至請求項５のいずれか１項に記載のトリアージタグ。
【発明の詳細な説明】
【技術分野】
【０００１】
本発明は、災害現場等で治療優先度を決定するトリアージにおいて、傷病者の識別に使用されるトリアージタグに関する。
【背景技術】
【０００２】
災害等により多数の傷病者が同時に発生したとき、限られた医療資源を最大限に活用してできるだけ多くの傷病者を救うため、傷病者の治療の優先度を決定するトリアージが行われる。トリアージでは、傷病者を、緊急度や重症度に応じて４つのトリアージ区分に分類し、傷病者のトリアージ区分に応じて搬送順序や搬送先、治療順序などが決定される。通常、トリアージでは、傷病者は、以下の４つのトリアージ区分に分類される。
区分０：死亡、または、救命の見込みのない状態。
区分１：生命に関わる重篤な状態で、最優先で治療すべき状態。
区分２：区分１ほどではないが、早期に処置をすべき状態。
区分３：早期の処置や、搬送の必要がない状態。
【０００３】
トリアージでは、トリアージ実施者は、傷病者の状態を短時間で判断し、トリアージの結果を示すトリアージタグを傷病者の手首等に取り付ける。図９は、既存一般のトリアージタグａである。トリアージタグａは、縦長矩形状の帳票である。トリアージタグａの上部から中央部には、傷病者の個人情報や、トリアージを実施した場所や日時、傷病者の症状、トリアージ区分等を記入する欄が設けられている。そして、トリアージタグａの下部には、トリアージにおいて最も重要な情報であるトリアージ区分を明示するためのトリアージ区分表示部ｂが形成される。トリアージ区分表示部ｂは、各トリアージ区分を示す色で着色されたトリアージ標識片ｃを下方に連続させてなるものであり、トリアージ標識片ｃの間に形成された易切断線ｄでトリアージ標識片ｃを切り離して、下端に位置するトリアージ標識片ｃの色によって、傷病者のトリアージ区分を示すよう構成されている。具体的には、トリアージ標識片ｃは、上から黒色（区分０）、赤色（区分１）、黄色（区分２）、緑色（区分３）の順序となっており、例えば、トリアージで傷病者のトリアージ区分が区分１であると決定した場合は、赤色（区分１）と黄色（区分２）のトリアージ標識片ｃの間で切断して、赤色（区分１）のトリアージ標識片ｃが下端に位置するようにする。また、トリアージ区分が区分３であると決定した場合は、トリアージ区分表示部ｂを切断することなく傷病者に取り付ける。
【０００４】
また、従来のトリアージタグには、ＩＣタグを組み込んだものも提案されている（例えば、特許文献１）。特許文献１に記載のトリアージシステムでは、トリアージタグに組み込まれたＩＣタグに、各トリアージタグに固有のトリアージタグ識別情報を記憶させておく。そして、トリアージ実施者が、電子ペン記録システムを用いてトリアージタグに所要情報を記入し、トリアージタグに記入した情報を電子化してデータ管理サーバに送信するようにしている。かかるシステムによれば、搬送先等でトリアージタグのＩＣタグからトリアージタグ識別情報を読み取って、データ管理サーバに記憶された情報を取り出すことができる。
【先行技術文献】
【特許文献】
【０００５】
【特許文献１】特開２００９−２１７４４９号公報
【発明の概要】
【発明が解決しようとする課題】
【０００６】
ところで、トリアージでは、トリアージ実施者は、傷病者の搬送や治療はせず傷病者の選別のみに専念し、トリアージタグに記されたトリアージの結果に基づいて、他の作業者がトリアージ被実施者の搬送や治療を行っている。このため、トリアージ被実施者の搬送や治療を円滑に行うためには、搬送担当者や治療担当者が、治療優先度の高い傷病者の選別を速やかに行う必要がある。
【０００７】
上述のように、従来のトリアージタグでは、トリアージ区分表示部によってトリアージ区分を判別可能としているが、現場が暗い場合や、トリアージタグの装着位置、傷病者の姿勢によっては、離れた位置からではトリアージ区分表示部を目視し難いことが多く、そうした場合は、傷病者に近づいてトリアージタグを手に取ってトリアージ区分を確認しなければならない。
【０００８】
これに対して、ＩＣタグが組み込まれたトリアージタグであれば、トリアージ区分の情報をＩＣタグに書き込んで無線通信によって読取可能にしておけば、トリアージ区分表示部をはっきりと目視できない距離からでもトリアージ区分を判別可能となる。また、特許文献１のように傷病者のトリアージ区分の情報がサーバで管理されている場合には、ＩＣタグからトリアージタグ識別情報を読み取ってサーバに照会すれば、当該トリアージタグのトリアージ区分を、トリアージ区分表示部を目視確認することなく判別できる。
【０００９】
しかしながら、トリアージ区分の情報をＩＣタグに記憶させる場合には、トリアージの際に、トリアージ実施者がＩＣタグライターを操作してＩＣタグにトリアージ区分の情報を書き込む作業が必要となる。また、トリアージ区分の情報をサーバで管理する場合には、トリアージの際に、トリアージ実施者がトリアージ区分の情報を端末に入力して、トリアージタグ識別情報とともにサーバに送信する作業が必要となる。災害現場等でのトリアージは一刻を争うものであり、傷病者一人当たりに割くことのできる時間は限られているため、こうした作業は極力少なくすることが望ましい。
【００１０】
本発明は、かかる現状に鑑みてなされたものであり、治療優先度の高い傷病者を簡便に選別し得るトリアージタグの提供を目的とする。
【課題を解決するための手段】
【００１１】
本発明は、タグ用紙に、所要情報を記入するタグ本体部と、トリアージ区分を示すトリアージ区分表示部とを形成してなるトリアージタグにおいて、該トリアージ区分表示部は、模様及び／又は色彩が相違するトリアージ区分と同数のトリアージ標識片を備え、該トリアージ標識片を、タグ本体部の端部を基端として一方向に連続させて、さらに、トリアージ標識片同士の境界に形成された易切断線でトリアージ標識片を相互に切り離し可能として、トリアージ区分表示部の先端に位置するトリアージ標識片によって傷病者のトリアージ区分を示すよう構成されたものであり、トリアージ区分表示部には、ＩＣチップとアンテナとを具備してなる切断識別用ＩＣタグが配設されており、前記アンテナは、治療優先度の最も高いトリアージ区分を示すトリアージ標識片の、先端側の境界に形成される特定の易切断線を跨ぐように形成されており、前記ＩＣチップは、前記特定の易切断線よりも基端側に配設されており、前記切断識別用ＩＣタグは、前記特定の易切断線が切断されていない第一の状態では、通信可能距離が１ｍ以下であり、前記特定の易切断線が切断された第二の状態では、該特定の易切断線でアンテナが切断されることによって、通信可能距離が１．５ｍ以上となるよう構成されていることを特徴とするトリアージタグである。ここで、「通信可能距離が１ｍ以下」の状態には、実質的に通信不能である状態が含まれる。また、本発明にあって、トリアージタグに配設されるＩＣタグの「通信可能距離」とは、電波暗室などの電波反射の影響のない環境にトリアージタグを設置した時に、出力１ＷのＩＣタグリーダを用いて、トリアージタグのＩＣタグのデータを読み取ることのできる最長距離を指す。
【００１２】
かかる構成にあっては、特定の易切断線（以下、特定易切断線と略す。）が切断されていない切断識別用ＩＣタグは、比較的短距離の無線通信でしか記憶情報を読み取ることができないが、特定易切断線が切断されると切断識別用ＩＣタグは、アンテナが特定易切断線で分断されてアンテナ形状が変化することで通信可能距離が長くなる。そして、これにより、比較的遠距離からでも、当該切断識別用ＩＣタグの記憶情報を無線通信で読取可能となる。このため、本発明のトリアージタグに対して、トリアージ区分表示部を目視しづらい位置から切断識別用ＩＣタグの読取りを試みた場合、当該トリアージタグの特定易切断線が切断されていなければ、切断識別用ＩＣタグの記憶情報を読み取りできないし、特定易切断線が切断されていれば、当該記憶情報を読み取りできる。特定易切断線は、治療優先度の最も高いトリアージ区分を示す時に切断されるものであるから、本発明のトリアージタグは、離れたところから切断識別用ＩＣタグの記憶情報を読み取り得るか否かによって、治療優先度の高い傷病者を容易に選別可能となる。
【００１３】
このように、本発明のトリアージタグは、特定易切断線の切断に伴って、切断識別用ＩＣタグの通信可能距離が長くなるよう構成されており、これを利用することで、治療優先度の高いトリアージ区分を示すトリアージタグを無線通信によって判別できる。したがって、本発明によれば、トリアージ区分の情報をＩＣタグに書き込んだり、トリアージタグ識別情報とトリアージ区分の情報をサーバに送信したりする手間をかけずに、治療優先度の高いトリアージ区分の傷病者を無線通信によって簡便に選別可能となる。
【００１４】
本発明にあって、切断識別用ＩＣタグは、前記第一の状態と第二の状態とで、通信可能距離の差が大きくなるよう構成することが望ましい。前記第一の状態と第二の状態とで通信可能距離の差が大きくなれば、特定易切断線の切断状況を判別可能な範囲が広がるためである。このため、切断識別用ＩＣタグの通信可能距離は、前記第一の状態では３０ｃｍ以下となるよう構成することが望ましく、前記第二の状態では２ｍ以上となるよう構成することが望ましい。
【００１５】
本発明にあって、前記切断識別用ＩＣタグはＵＨＦ帯で無線通信するものであることが提案される。ここで、「ＵＨＦ帯」とは、３００〜３０００ＭＨｚの周波数を指す。ＵＨＦ帯の電波を用いれば、前記第二の状態で、切断識別用ＩＣタグの通信可能距離を他の帯域の電波に比べて長くできるためである。
【００１６】
また、本発明にあって、前記切断識別用ＩＣタグは、前記第一の状態ではアンテナがループ形状をなしており、前記第二の状態では、アンテナが前記特定の易切断線で切断されて、前記特定の易切断線の基端側にダイポールアンテナを形成することが提案される。
【００１７】
ループ形状のアンテナを介した無線通信は、通信可能距離が比較的短い電磁誘導方式であるのに対し、ダイポールアンテナを介した無線通信は、通信可能距離が比較的長い電波方式である。すなわち、かかる構成では、特定易切断線の切断に伴って、切断識別用ＩＣタグの通信方式が切り替わることにより、切断識別用ＩＣタグの通信可能距離が延びることとなる。一般的に、電磁誘導方式と電波方式とでは通信可能距離の差が大きいため、かかる構成では、特定易切断線を切断した時に、切断識別用ＩＣタグの通信可能距離を大きく延長させて、治療優先度の高い傷病者を無線通信で選別可能な範囲を広く確保することができる。また、ループ形状のアンテナは、１箇所切断するだけで、容易に双極形状にすることができるから、かかる構成にあっては、切断識別用ＩＣタグのアンテナ形状を簡素化できるという利点がある。
【００１８】
また、本発明にあって、前記切断識別用ＩＣタグのアンテナは、前記特定の易切断線の基端側に、ＩＣチップの配設部位を中心にＸ字状に延出するＸ字状パターンを備えるとともに、前記特定の易切断線の先端側に、前記Ｘ字状パターンの２つの端部を相互接続してループを形成するループ形成部とを備え、前記第二の状態では、前記ループ形成部がＸ字状パターンから切り離されて、前記アンテナがＸ字状となることが提案される。
【００１９】
かかる構成にあっては、特定易切断線の切断前は、ループ形成部によってＸ字状パターンがループを形成しているため、切断識別用ＩＣタグは、電磁誘導方式で無線通信を行うこととなる。一方、特定易切断線が切断されて、ループ形成部がＸ字状パターンから切り離されると、アンテナがＸ字状となることで、切断識別用ＩＣタグの通信方式が電波方式に切り替わることとなる。したがって、かかる構成にあっても、特定易切断線の切断時に、切断識別用ＩＣタグの通信可能距離を大きく延長させることができ、これにより、治療優先度の高い傷病者を無線通信で選別可能な範囲を広く確保できる。また、Ｘ字状のアンテナは、ダイポールアンテナに比べて指向性が広いため、かかる構成では、前記第二の状態で、切断識別用ＩＣタグの通信可能範囲の偏りを低減できるという利点がある。
【００２０】
また、本発明にあって、前記切断識別用ＩＣタグのアンテナは、治療優先度の最も高いトリアージ区分を示すトリアージ標識片の、基端側の境界に形成される他の易切断線を跨ぐように形成されており、前記切断識別用ＩＣタグは、前記他の易切断線が切断された第三の状態では、該他の易切断線でアンテナが切断されることによって、通信可能距離が１０ｃｍ以下となることが提案される。ここで、「通信可能距離が１０ｃｍ以下」の状態には、実質的に通信不能である状態が含まれる。
【００２１】
かかる構成にあっては、治療優先度の最も高いトリアージ区分を示すトリアージ標識片をタグ本体部から切り離した時に、切断識別用ＩＣタグの通信可能距離が極めて短くなるため、タグ本体部から切り離された切断識別用ＩＣタグの記憶情報が、ＩＣタグリーダーに誤って読み取られるおそれがなくなる。
【００２２】
本発明にあって、治療優先度の最も高いトリアージ区分を示すトリアージ標識片は、基端側から２番目に配設されており、最も基端側に位置するトリアージ標識片は、死亡または救命の見込みのない状態のトリアージ区分を示すものであり、前記切断識別用ＩＣタグは、前記第一の状態及び前記第二の状態では無線通信可能であることが提案される。
【００２３】
かかる構成にあっては、基端側から２番目のトリアージ標識片がタグ本体部から切り離されない限りは、切断識別用ＩＣタグは無線通信可能であるから、切断識別用ＩＣタグを、傷病者の情報等を記憶するＩＣタグとして兼用できるという利点がある。なお、基端側から２番目のトリアージ標識片がタグ本体部から切り離された場合は、原則として、対象傷病者は搬送・治療が行われないため、切断識別用ＩＣタグに傷病者の情報を記憶できなくても不具合は生じない。
【発明の効果】
【００２４】
以上に述べたように、本発明によれば、トリアージの際に通常の手順通りにトリアージ区分表示部を切断するだけで、治療優先度の最も高いトリアージ区分を示すトリアージタグを無線通信によって判別可能となるから、トリアージの際の手間を増やすことなく、搬送担当者や治療担当者に、治療優先度の高い傷病者を容易に選別させることが可能となる。また、本発明のトリアージタグは、特定易切断線の切断状態を無線通信によって直接判別可能なものであるため、トリアージ区分の情報を手入力でＩＣタグ等に記憶させる構成に比べて、情報の入力間違いが発生し難いという利点がある。
【図面の簡単な説明】
【００２５】
【図１】実施例のトリアージタグ１１の表面図である。
【図２】実施例のトリアージタグ１１の裏面図である。
【図３】トリアージ区分表示部１５の拡大図である。
【図４】特定易切断線１８ｂを切断した状態を示す、トリアージ区分表示部１５の拡大図である。
【図５】他の易切断線１８ａを切断した状態を示す、トリアージ区分表示部１５の拡大図である。
【図６】変形例のトリアージ区分表示部１５ａの拡大図である。
【図７】特定易切断線１８ｂを切断した状態を示す、変形例のトリアージ区分表示部１５ａの拡大図である。
【図８】他の易切断線１８ａを切断した状態を示す、変形例のトリアージ区分表示部１５ａの拡大図である。
【図９】従来のトリアージタグａの表面図である。
【発明を実施するための形態】
【００２６】
本発明の実施形態を、以下の実施例に従って説明する。
【００２７】
本実施例のトリアージタグ１１は、図１，２に示すように、縦長矩形状をなすタグ用紙１２の上端部に、傷病者の手首等に取り付けるための環状のゴム紐１３を結びつけてなるものである。
【００２８】
タグ用紙１２は、従来品同様の耐久性の高い紙で構成することができる。タグ用紙１２の上部から中央部にかけては、トリアージで各種の情報を記入するタグ本体部１４となっており、タグ用紙１２の下部は、トリアージ区分を明示するトリアージ区分表示部１５を構成する。トリアージ区分表示部１５は、従来通りの４種類のトリアージ区分（区分０〜３）を示すものである。各トリアージ区分の詳細は下記の通りである。
区分０：死亡、または、救命の見込みのない状態。
区分１：生命に関わる重篤な状態で、最優先で治療すべき状態。
区分２：区分１ほどではないが、早期に処置をすべき状態。
区分３：早期の処置や、搬送の必要がない状態。
【００２９】
タグ本体部１４の表面には、図１に示すように、所要情報を記入する欄が設けられている。具体的な記入項目としては、傷病者の個人情報、トリアージの実施日時・実施場所・実施者、診断内容、トリアージ区分などがある。また、タグ本体部１４の表面左上には、各トリアージタグ１１に固有の識別番号（Ｎｏ．）が事前印刷される。また、タグ本体部１４の裏面には、図２に示すように、受傷箇所などの特記事項を記入する欄が設けられる。また、タグ本体部１４の表側には、二枚の複写紙１２ａ，１２ｂが積層される。複写紙１２ａ，１２ｂは災害現場や搬送機関の控えとして使用される。
【００３０】
トリアージ区分表示部１５は、図３に示すように、四つの横長矩形状のトリアージ標識片１６ａ〜１６ｄを、タグ本体部１４の下端部を基端として、下方に連続させてなるものであり、従来品同様に、トリアージ標識片１６ａ〜１６ｄを選択的に切り離して、先端（下端）に位置するトリアージ標識片１６ａ〜１６ｄによって、傷病者のトリアージ区分を示すよう構成されたものである。四つのトリアージ標識片１６ａ〜１６ｄは、上記四種類のトリアージ区分（区分０〜３）に対応しており、対応するトリアージ区分を示す色で着色されている。具体的には、最も基端側（タグ本体側）に形成される第一トリアージ標識片１６ａは、区分０を示すものであり、黒色で着色される。基端側から２番目の第二トリアージ標識片１６ｂは、区分１を示すものであり、赤色で着色される。同様に、基端側から３番目の第三トリアージ標識片１６ｃは、区分２を示す黄色で着色される。そして、先端（下端）に位置する第四トリアージ標識片１６ｄは、区分３を示す緑色で着色される。
【００３１】
各トリアージ標識片１６ａ〜１６ｄの間の境界には、ミシン目からなる易切断線１８ａ〜１８ｃが、タグ用紙１２を横断するように夫々形成される。そして、易切断線１８ａ〜１８ｃに沿ってタグ用紙１２を切断することで、トリアージ標識片１６ｂ〜１６ｄをタグ本体部１４から切り離し得るよう構成される。なお、タグ本体部１４と第一トリアージ標識片１６ａの間には易切断線が形成されておらず、最も基端側の第一トリアージ標識片１６ａについては、タグ本体部１４から切り離せないよう構成されている。
【００３２】
トリアージ区分表示部１５には、図３に示すように、表側に切断識別用ＩＣタグ２０が配設される。この切断識別用ＩＣタグ２０は、ＵＨＦ帯で無線通信可能なパッシブタグであり、ＩＣチップ２１と、タグ用紙１２の上に形成されるアンテナ２２とを備えてなる。
【００３３】
アンテナ２２は、図３に示すように、タグ用紙１２の表面に導電性ペーストを所定形状に印刷することによって、タグ用紙１２の表面に沿って形成されたものである。このアンテナ２２は、金属箔の箔押しによって形成することもできる。アンテナ２２の形状の詳細は後述する。
【００３４】
切断識別用ＩＣタグ２０のＩＣチップ２１は、アンテナ２２を介してＵＨＦ帯で無線通信可能なものであり、ＵＨＦ帯用のＩＣタグに用いられる汎用品が好適に用いられる。このＩＣチップ２１は、アンテナ２２に形成された装着部２４に、はんだ付け等で接合されることにより、アンテナ２２と接続されている。
【００３５】
切断識別用ＩＣタグ２０は、治療優先度の最も高いトリアージ区分（区分１）を示す第二トリアージ標識片１６ｂの、先端側境界の易切断線１８ｂ（以下、特定易切断線という。）の切断状態を判定するのに用いられるものである。切断識別用ＩＣタグ２０のアンテナ２２は、図３に示すように、左右対称なループ形状をなしており、第一トリアージ標識片１６ａと第二トリアージ標識片１６ｂと第三トリアージ標識片１６ｃとに跨がるように配設されている。アンテナ２２の、第二トリアージ標識片１６ｂの上端部中央位置には、ＩＣチップ２１を接続する装着部２４が形成されており、当該装着部２４の上にＩＣチップ２１が接合されている。
【００３６】
切断識別用ＩＣタグ２０のアンテナ２２は、第二トリアージ標識片１６ｂの先端側と基端側の易切断線１８ａ，１８ｂを跨いでおり、図４，５に示すように、易切断線１８ａ，１８ｂを切断すると、アンテナ２２が易切断線１８ａ，１８ｂで切断されるよう構成されている。ここで、切断識別用ＩＣタグ２０のアンテナ２２は、ミシン目の非切断部分を含むように易切断線１８ａ，１８ｂと交差しており、易切断線１８ａ，１８ｂの非切断状態では、易切断線１８ａ，１８ｂとの交差部分でアンテナ２２の導通が途切れないよう構成されている。
【００３７】
切断識別用ＩＣタグ２０は、図４に示すように、特定易切断線１８ｂが切断された場合には、切断識別用ＩＣタグ２０のアンテナ２２のうち、第三トリアージ標識片１６ｃに形成されている部分がＩＣチップ２１から切り離されて、アンテナ２２の残った部分が、ＩＣチップ２１を中央部に配したダイポールアンテナ２２０を形成するよう構成されている。かかるダイポールアンテナ２２０は、ＵＨＦ帯の所定周波数で共振するように設計されたものである。
【００３８】
かかる構成にあっては、特定易切断線１８ｂの非切断状態では、切断識別用ＩＣタグ２０は、ループ形状のアンテナ２２を介して無線通信可能となる。ループ形状のアンテナ２２では、電磁誘導方式で無線通信が行われるため、かかる状態では、切断識別用ＩＣタグ２０の通信可能距離は３０ｃｍ程度である。一方、特定易切断線１８ｂが切断された状態では、切断識別用ＩＣタグ２０は、ＵＨＦ帯のダイポールアンテナ２２０を介して電波方式の無線通信を行うことが可能となるため、ＵＨＦ帯の適切な周波数を選択すれば、切断識別用ＩＣタグ２０の通信可能距離は３ｍ程度になる。すなわち、切断識別用ＩＣタグ２０は、特定易切断線１８ｂの非切断状態では、ＩＣタグリーダーを３０ｃｍ程度の距離まで近づけないと記憶情報を読み取ることができないが、特定易切断線１８ｂの切断状態では３ｍ程度離れた位置からでも記憶情報を読取可能となる。
【００３９】
また、切断識別用ＩＣタグ２０のアンテナ２２は、装着部２４の近傍部位が、第二トリアージ標識片１６ｂの基端側の易切断線１８ａを跨いでおり、図５に示すように、当該易切断線１８ａでトリアージ標識片１６ｂ〜１６ｄが切り離された場合には、アンテナ２２が装着部２４の近傍部位で切断されて、ＩＣチップ２１がアンテナ２２の大部分から離隔されることで、切断識別用ＩＣタグ２０が通信不能となるよう構成されている。
【００４０】
以上のように、切断識別用ＩＣタグ２０は、特定易切断線１８ｂが切断されていない状態では、ＩＣタグリーダーを３０ｃｍ程度の距離まで近づけないと記憶情報を読み取ることができないが、特定易切断線１８ｂが切断されると、通信可能距離が延長されて、３ｍ程度離れたところからでも記憶情報を読取可能となる。また、切断識別用ＩＣタグ２０は、第二トリアージ標識片１６ｂの基端側の易切断線１８ａが切断された場合には通信不能となる。
【００４１】
切断識別用ＩＣタグ２０のＩＣチップ２１には、全てのトリアージタグ１１で共通する共通識別情報と、各トリアージタグ１１で相違する固有識別情報とが予め記憶される。そして、ＩＣタグ２０は、ＩＣタグリーダーからの要求に応じて、切断識別用ＩＣチップ２１に記憶された共通識別情報と固有識別情報をＩＣタグリーダーに送信する。
【００４２】
本実施例のトリアージタグ１１は、トリアージタグ１１から１〜３ｍ程度離れた位置から、ＩＣタグリーダーでＩＣタグ２０の読取りを試行することで、特定易切断線１８ｂの切断状況を無線通信によって判別することができる。すなわち、トリアージタグ１１が特定易切断線１８ｂで切断されている場合は、切断識別用ＩＣタグ２０の共通識別情報及び固有識別情報を読み取ることができるから、ＩＣタグリーダーがかかる識別情報を読み取った場合には、ＩＣタグリーダーの通信範囲内に、特定易切断線１８ｂが切断されたトリアージタグ１１が存在する判断できる。一方、ＩＣタグリーダーが、切断識別用ＩＣタグ２０の識別情報を読み取らなかった場合は、ＩＣタグリーダーの通信範囲内に、特定易切断線１８ｂが切断されたトリアージタグ１１が存在しないと判断できる。特定易切断線１８ｂが切断されたトリアージタグ１１は、治療優先度の最も高いトリアージ区分（区分１）を示すものであるから、このように、ＩＣタグリーダーによって、特定易切断線１８ｂの切断されたトリアージタグ１１の有無を判断すれば、ＩＣタグリーダーの通信可能範囲に治療優先度の高い傷病者がいるか否かを容易に判別できる。
【００４３】
なお、トリアージタグ１１のトリアージ区分を判別するためのＩＣタグリーダーは、上記の１〜３ｍ程度の通信距離で切断識別用ＩＣタグ２０と通信可能なものであれば、特に限定されるものではないが、複数の切断識別用ＩＣタグ２０と同時通信可能なアンチコリジョン機能を備えていることが望ましい。
【００４４】
本実施例のトリアージタグ１１の製造方法としては、例えば、タグ用紙１２に印刷を施し、また、易切断線１８ａ〜１８ｃを形成するなどして、切断識別用ＩＣタグを具備しない既存のトリアージタグを製造する工程と、タグ用紙１２の所要位置にアンテナ２２を印刷形成する工程と、アンテナ２２の装着部２４にＩＣチップ２１を接合する工程と、ＩＣタグライターを用いて、ＩＣタグ２０に上記共通識別情報及び固有識別情報を書き込む工程と、を備えるものが挙げられる。
【００４５】
以上のように、本実施例のトリアージタグ１１によれば、トリアージ区分表示部１５を視認しづらい距離から、治療優先度の最も高いトリアージ区分の傷病者であるか否かを無線通信で判別可能となるため、搬送担当者や治療担当者が、トリアージ被実施者の中から、治療優先度の高い傷病者を速やかに選別することが可能となる。
【００４６】
特に、本実施例では、トリアージタグ１１の各ＩＣタグ２０に、トリアージタグごとに固有の固有識別情報を記憶させているため、ＩＣタグリーダーの通信可能範囲に、特定易切断線１８ｂが切断されたトリアージタグ１１が複数含まれている場合には、各トリアージタグ１１のＩＣタグ２０を混同することなく、特定易切断線１８ｂが切断されたトリアージタグ１１の枚数まで検出できるという利点がある。
【００４７】
また、本実施例のトリアージタグ１１では、切断識別用ＩＣタグ２０のアンテナ２２を、初期状態ではループ形状とし、特定易切断線１８ｂが切断された時にダイポールアンテナ２２０を形成するようにしているため、特定易切断線１８ｂの切断前後で、切断識別用ＩＣタグ２０の通信可能距離を大きく変化させて、特定易切断線１８ｂの切断状況を無線通信で判別可能な範囲を広く確保できるという利点がある。また、ループ形状のアンテナは、一部を切断するだけで、容易に双極形状にできるため、かかる構成によって、切断識別用ＩＣタグ２０のアンテナ形状を簡素化できるという利点もある。
【００４８】
また、本実施例では、第二トリアージ標識片１６ｂの基端側の切断線１８ａで切断された時に、切断識別用ＩＣタグ２０が通信不能になるよう構成されているため、切断識別用ＩＣタグ２０がタグ本体部１４から切り離された時に、切り離した断片に含まれる切断識別用ＩＣタグ２０の記憶情報をＩＣタグリーダーが読み取るおそれがない。
【００４９】
次に、本実施例のトリアージタグ１１の使用例について説明する。
本実施例のトリアージタグ１１は、トリアージの際には、ＩＣタグを具備しないトリアージタグと同様に扱うことができる。すなわち、トリアージ実施者は、傷病者の状態を判断し、タグ本体部１４に傷病者の個人情報や症状等を記入する。そして、タグ本体部１４への記入が完了したら、決定したトリアージ区分を示すトリアージ標識片１６ａ〜１６ｄが先端（下端）に位置するように、易切断線１８ａ〜１８ｃを切断する（「区分３」の場合は全く切断しない。）。そして、かかるトリアージタグ１１を傷病者の手首等に巻き付けることにより、傷病者一人分のトリアージが終了する。このように、本実施例のトリアージタグ１１では、トリアージでの判断結果をＩＣタグ２０に記憶させるなどの作業は必要ない。
【００５０】
そして、本実施例のトリアージタグ１１によれば、上述のように、トリアージ被実施者が治療優先度の最も高いトリアージ区分（区分１）であるか否かを、１〜３ｍ程度離れた位置から無線通信で確認できる。このため、搬送担当者や治療担当者は、ＩＣタグリーダーを用いることで、トリアージ区分表示部１５を一つ一つ目視確認するよりも簡便に、トリアージ被実施者の中から治療優先度の高い傷病者を探索し、選別することができる。
【００５１】
このように、本実施例のトリアージタグ１１は、一般的なトリアージの手順通りにトリアージ区分表示部１５を切断するだけで、特定易切断線１８ｂの切断状況を無線通信によって簡便に判別できるから、トリアージの際の手間を増やすことなく、トリアージ被実施者の中から治療優先度の高い傷病者を簡便に選別可能となる。
【００５２】
なお、本実施例のトリアージタグ１１は、特定易切断線１８ｂの非切断状態であっても３０ｃｍ程度の近距離通信は可能であるため、切断識別用ＩＣタグ２０を、傷病者情報や、診断履歴、搬送履歴、治療履歴などの情報を記憶させるＩＣタグとして兼用することが可能である。なお、切断識別用ＩＣタグ２０は、第二トリアージ標識片１６ｂをタグ本体部１４から切り離した場合には使用不能となるが、かかる場合は、原則として、対象傷病者の搬送・治療を行わない区分０を示す場合であり、切断識別用ＩＣタグ２０を使用できなくても不具合は生じない。
【００５３】
次に、上記実施例から切断識別用ＩＣタグのアンテナ形状を変更した変形例について説明する。なお、以下の説明では、上記実施例からの変更部分のみを説明し、上記実施例と共通する構成については、文中及び図中で共通符号を使用して説明を省略する。本変形例では、図６に示すように、アンテナ２２ａは、第二トリアージ標識片１６ｂの上端部中央位置から四方にＸ字状に延出するＸ字状パターン２３と、該Ｘ字状パターン２３の下側の端部を相互接続してループを形成するループ形成部２５とで構成される。また、図６に示すように、Ｘ字状パターン２３の中央の交差部分は、ＩＣチップ２１を接合する装着部２４を構成している。
【００５４】
Ｘ字状パターン２３のうち、下方に延出する二本の辺部２３ａ，２３ｂは、第二トリアージ標識片１６ｂの上端部中央位置から、左下方と右下方とに延出して特定易切断線１８ｂと交差しており、ループ形成部２５は、第三トリアージ標識片１６ｃの上部で左右方向に延びて、かかる二本の辺部２３ａ，２３ｂの端部を相互接続することにより、三角形状のループを形成している。一方、Ｘ字状パターン２３のうち、上方に延出する二本の辺部２３ｃ，２３ｄは、左上方と右上方とに延出して、第二トリアージ標識片１６ｂの基端側の易切断線１８ａと交差している。
【００５５】
本変形例では、図７に示すように、特定易切断線１８ｂが切断されると、切断識別用ＩＣタグ２０ａのアンテナ２２ａのうち、第三トリアージ標識片１６ｃに形成されていたループ形成部２５が切り離される。そして、これにより、アンテナ２２ａの残されたＸ字状パターン２３によって、ＩＣチップ２１を中央部に配したＸ字状のアンテナ２２１が形成されるよう構成されている。かかるＸ字状のアンテナ２２１は、ＵＨＦ帯の所定周波数で共振するように設計されたものであり、実施例のダイポールアンテナ２２０（図４参照）に比べて、指向性が広いという利点がある。
【００５６】
一方、本変形例にあっては、図８に示すように、第二トリアージ標識片１６ｂの基端側の易切断線１８ａが切断されると、Ｘ字状パターン２３のうち、上方に延出する二本の辺部２３ｃ，２３ｄが中心付近で切断される。かかる場合は、ＩＣチップ２１が、アンテナ２２ａの下部のループ形状をなす部分とともに切り離されるため、切断識別用ＩＣタグ２０は、３０ｃｍ程度の通信可能距離を維持したままタグ本体部１４から切り離されることとなる。
【００５７】
本変形例にあっては、特定易切断線１８ｂの非切断状態では、アンテナ２２ａの下部がループを形成しているため、切断識別用ＩＣタグ２０ａは、電磁誘導方式で無線通信を行うこととなる。一方、特定易切断線１８ｂの切断状態では、切断識別用ＩＣタグ２０ａは、Ｘ字状アンテナ２２１によって電波方式で無線通信を行うことが可能となる。したがって、本変形例にあっても、特定易切断線１８ｂの非切断状態では、切断識別用ＩＣタグ２０ａの通信可能距離が３０ｃｍ程度であり、特定易切断線１８ｂの切断によって、切断識別用ＩＣタグ２０ａの通信可能距離が３ｍ程度に延長されることとなる。
【００５８】
本変形例のように、本発明に係る切断識別用ＩＣタグのアンテナ形状は、実施例の形状に限らず適宜変更可能である。特に、本変形例では、特定易切断線１８ｂの切断に伴って、指向性の広いＸ字状のアンテナ２２１が形成されるよう構成されているため、上記実施例に比べて、特定易切断線１８ｂの切断時に、切断識別用ＩＣタグ２０ａの通信可能範囲の偏りを低減できるという利点がある。
【００５９】
本発明は、上記実施例の形態に限らず本発明の要旨を逸脱しない範囲内において種々変更を加えることができる。例えば、トリアージタグの形態は、使用するトリアージのシステムに応じて、上記実施例の形態を種々変更することが可能である。
【００６０】
また、上記実施例では、切断識別用ＩＣタグ２０が、タグ用紙１２に印刷されたアンテナ２２の上に、ＩＣチップ２１を直接装着してなる構成となっているが、本発明に係る切断識別用ＩＣタグは、タグ用紙に印刷したアンテナの上に、ＩＣチップと小型アンテナとをパッケージ化したＩＣモジュールを装着してなる構成とすることも可能である。また、本発明に係るＩＣタグは、インレット形態のものをタグ用紙に貼り付けることによっても配設可能である。
【００６１】
また、上記実施例では、切断識別用ＩＣタグ２０がタグ用紙１２の表面に露出しているが、ＩＣタグの表面は、適宜に保護層で被覆することが可能である。また、ＩＣタグをタグ用紙に埋設することもできる。
【００６２】
また、上記実施例では、易切断線１８ａ〜１８ｃがミシン目によって形成されているが、本発明に係る易切断線はハーフカット線などによって形成することも可能である。
【符号の説明】
【００６３】
１１，１１ａ  トリアージタグ
１２  タグ用紙
１２ａ，１２ｂ  複写紙
１３  ゴム紐
１４  タグ本体部
１５  トリアージ区分表示部
１６ａ〜１６ｄ  トリアージ標識片
１８ａ〜１８ｃ  易切断線
２０，２０ａ  切断識別用ＩＣタグ
２１  ＩＣチップ
２２，２２ａ  アンテナ
２２０  ダイポールアンテナ
２２１  Ｘ字状アンテナ
２３  Ｘ字状パターン
２４  装着部
２５  ループ形成部
【図１】
2015055996.tif 000003
【図２】
2015055996.tif 000004
【図３】
2015055996.tif 000005
【図４】
2015055996.tif 000006
【図５】
2015055996.tif 000007
【図６】
2015055996.tif 000008
【図７】
2015055996.tif 000009
【図８】
2015055996.tif 000010
【図９】
2015055996.tif 000011